(57)【要約】【課題】  搬送ユニットの重心位置がどのような位置にあっても円滑な開閉操作が可能な支持構造を得る。【解決手段】  振分ユニットの揺動フレーム３５と、固定側のフレームＦとの間にヒンジＨを備え、このヒンジＨは、揺動軸６７周りで揺動自在に連結した固定ブラケット６５と揺動ブラケット６６とを備えると共に、振分ユニットを開放姿勢側に付勢する圧縮コイルバネ７３を備え、この振分ユニットの開放姿勢側への揺動領域の中間から処理姿勢の側に付勢力を作用させ、振分ユニットが開放姿に達した際に処理姿勢の側に最も強い付勢力を作用させるトーションバネ７５を備えた。【選択図】        図６
2005249927.tif 000002
【特許請求の範囲】
【請求項１】
感光材料の搬送ユニットを、搬送方向が水平方向となる処理姿勢と、該搬送ユニットの揺動端部側が持ち上げられる開放姿勢とに切り換えるように水平姿勢の軸芯周りで揺動自在に該搬送ユニットを支持する搬送ユニットの支持構造であって、
前記搬送ユニットは、前記処理姿勢においてシート状の前記感光材料を水平方向に搬送する移送手段を備え、この移送手段が作動することによって該搬送ユニットの重心位置が前記軸芯を基準にして遠近方向に変動するよう構成されると共に、この搬送ユニットは付勢機構によって前記開放姿勢に向けて付勢され、かつ、この搬送ユニットが揺動領域における開放姿勢側の揺動端部において逆付勢機構から処理姿勢の方向に最も強い付勢力を受けるよう構成されている搬送ユニットの支持構造。
【請求項２】
固定側の部材に連結する固定ブラケットと、前記搬送ユニットに連結する揺動ブラケットとを前記軸芯上に配置した揺動軸周りで揺動自在に連結してヒンジを構成すると共に、前記逆付勢機構は、前記固定ブラケットと前記揺動ブラケットとに両端部が配置されるトーションバネで構成され、このトーションバネは、前記搬送ユニットが前記処理姿勢にある状態においては前記両端部の少なくとも一方が自由状態となり、前記搬送ユニットを前記処理姿勢から開放姿勢へ揺動させる揺動領域の中間において前記両端部から付勢力を作用させ、前記搬送ユニットを開放姿勢に設定した際に最も強い付勢力を作用させるように、該トーションバネは、その端部から融通手段を介して付勢力を作用させるよう構成してある請求項１記載の搬送ユニットの支持構造。
【請求項３】
前記融通手段は、前記固定ブラケットと揺動ブラケットとの少なくとも一方に形成された開口で形成され、この開口に対して前記トーションバネの一方の端部を挿通させる状態で該トーションバネを配置してある請求項２記載の搬送ユニットの支持構造。
【請求項４】
前記移送手段が、単列で送られる感光材料を複数の搬送経路に送り込むチャッカーで構成されている請求項１〜３のいずれか１項に記載の搬送ユニットの支持構造。
【発明の詳細な説明】
【技術分野】
【０００１】
本発明は、感光材料の搬送ユニットを、搬送方向が水平方向となる処理姿勢と、該搬送ユニットの揺動端部側が持ち上げられる開放姿勢とに切り換えるように水平姿勢の軸芯周りで揺動自在に該搬送ユニットを支持する搬送ユニットの支持構造に関し、詳しくは、開放姿勢の側に付勢された搬送ユニットの開閉作動を制御する技術に関する。
【背景技術】
【０００２】
上記した搬送ユニットに直接的に関連するものではないが、開閉作動を制御する技術として、特許文献１及び特許文献２に記載されるものが存在する。特許文献１は、原稿載置台を圧着する圧着板を揺動シャフト周りで上下揺動自在に枢着してあり、この圧着板を開放側に付勢する圧着コイルバネで成る付勢部材を備えている。この付勢部材は第１カムのリフトカム面との接当によって圧着板を上方へ揺動させる付勢力を作用させるものであり、この付勢力は圧着板の自重による揺動シャフト周りでの回転トルクに対応するように設定されている。
【０００３】
特許文献２は、画像形成装置の上面のベース部材に対して、支軸周りで回動自在にリフト部材を備えており、このリフト部材に原稿圧着板を備え、また、ベース部材とリフト部材との間にスプリング装置を配置し、ベース部材に対してリフト部材が回動する際にギヤ式に回転作動するロータリダンパを備えている。この特許文献２に示す構造では、原稿圧着板を持ち上げた場合に、スプリング装置から上方へ付勢力が作用し、原稿圧着板を押し下げた場合には、ロータリダンパ装置によって原稿圧着板は所定の開閉角度からゆっくりと下降し始め、急激な下降が防止されるよう構成されている。
【０００４】
【特許文献１】特開２００１‐２４２５５９号公報  （段落番号〔００１９〕〜〔００３１〕、図１、図２）
【特許文献２】特開２００３‐１５２３７号公報  （段落番号〔００１６〕〜〔００２５〕、図１〜図６）
【発明の開示】
【発明が解決しようとする課題】
【０００５】
例えば、感光材料として印画紙に対する露光を行った後、その印画紙を現像処理槽に搬送して現像処理を行う写真プリント装置を考えると、この写真プリント装置では印画紙の搬送を行う各種の搬送ユニットを備えている。また、搬送ユニットは印画紙の詰まり発生時や、メンテナンス時に大きく開放する構造が望ましく、軸芯周りでユニット全体を回動させる構造も望まれている。
【０００６】
印画紙を搬送する搬送ユニットとして印画紙の振り分けを行うようユニット内において移動自在なチャッカーを備えたものや、印画紙に露光を行うようユニットに対して移動自在なライン露光型の露光ヘッドを備えたものを考えると、チャッカーや露光ヘッドの位置によってユニットの重心位置が変動するものである。このように重心位置が変動するユニットを軸芯周りでの揺動によって開閉自在に構成することを考えると、重心位置が軸芯位置から最も離間した位置でもユニットを軽く開放できるように付勢力を強く設定する必要がある。しかし、付勢力を強く設定した場合には重心位置が適正な位置にある状態においてユニットを開放側に跳ね上げる不都合に繋がるものである。
【０００７】
この不都合を解消するために、特許文献１あるいは特許文献２に記載された構成を用いることを考えても、これら特許文献１、特許文献２は重心位置が変動するものを対象としておらず、不都合を解消し難いものであった。
【０００８】
本発明の目的は、搬送ユニットの重心位置がどのような位置にあっても円滑な開閉操作が可能な支持構造を得る点にある。
【課題を解決するための手段】
【０００９】
本発明の特徴は、感光材料の搬送ユニットを、搬送方向が水平方向となる処理姿勢と、該搬送ユニットの揺動端部側が持ち上げられる開放姿勢とに切り換えるように水平姿勢の軸芯周りで揺動自在に該搬送ユニットを支持する搬送ユニットの支持構造において、
前記搬送ユニットは、前記処理姿勢においてシート状の前記感光材料を水平方向に搬送する移送手段を備え、この移送手段が作動することによって該搬送ユニットの重心位置が前記軸芯を基準にして遠近方向に変動するよう構成されると共に、この搬送ユニットは付勢機構によって前記開放姿勢に向けて付勢され、かつ、この搬送ユニットが揺動領域における開放姿勢側の揺動端部において逆付勢機構から処理姿勢の方向に最も強い付勢力を受けるよう構成されている点にある。
【００１０】
この構成により、搬送ユニットが揺動領域における開放姿勢側の揺動端部に達した姿勢において逆付勢機構から処理姿勢の方向に最も強い付勢力を受けるため、この搬送ユニットの重心位置が軸芯に近い位置にある状態で搬送ユニットを開放姿勢の方向に揺動させた場合でも逆付勢機構から作用する付勢力が増大し搬送ユニットを跳ね上げることがない。また、逆付勢機構はバネやゴムのように単純な構造のものを利用できるので、構造を複雑化させることがなく、コストを上昇させることもない。その結果、どのような重心位置であっても円滑な開閉操作が可能な支持構造が合理的に構成された。
【００１１】
本発明は、固定側の部材に連結する固定ブラケットと、前記搬送ユニットに連結する揺動ブラケットとを前記軸芯上に配置した揺動軸周りで揺動自在に連結してヒンジを構成すると共に、前記逆付勢機構は、前記固定ブラケットと前記揺動ブラケットとに両端部が配置されるトーションバネで構成され、このトーションバネは、前記搬送ユニットが前記処理姿勢にある状態においては前記両端部の少なくとも一方が自由状態となり、前記搬送ユニットを前記処理姿勢から開放姿勢へ揺動させる揺動領域の中間において前記両端部から付勢力を作用させ、前記搬送ユニットを開放姿勢に設定した際に最も強い付勢力を作用させるように、該トーションバネは、その端部から融通手段を介して付勢力を作用させるよう構成しても良い。
【００１２】
この構成により、搬送ユニットを処理姿勢から開放姿勢に揺動させた場合には、付勢機構からの付勢力によって、この搬送ユニット軽く操作できるものとなり、この揺動によって搬送ユニットが開放姿勢に接近した場合には、トーションバネの両端部からの付勢力が固定ブラケットと揺動ブラケットとの間に作用し、搬送ユニットが開放姿勢の方向に向かう作動を抑制するものとなる。つまり、逆付勢機構としてトーションバネを用いることにより、極めて簡単なパーツを付加することで済み、また、融通手段を介してトーションバネの両端部からの付勢力を作用させるように構成したので、開放方向に大きいトルクが必要な領域ではトーションバネの付勢力を作用させず、ショックを発生させやすい開放側の揺動端部側においてトーションバネから強い付勢力を作用させることにより、この揺動端部において付勢機構の付勢力とトーションバネの付勢力とをバランスさせることが可能となる。
【００１３】
本発明は、前記融通手段が、前記固定ブラケットと揺動ブラケットとの少なくとも一方に形成された開口で形成され、この開口に対して前記トーションバネの一方の端部を挿通させる状態で該トーションバネを配置しても良い。
【００１４】
この構成により、開口を形成する程度の構造を採用することによって、トーションバネから搬送ユニットに作用する付勢力を制御できるものとなる。
【００１５】
本発明は、前記移送手段が、単列で送られる感光材料を複数の搬送経路に送り込むチャッカーで構成されても良い。
【００１６】
この構成により、感光材料の搬送方向でのチャッカーの停止位置によって、搬送ユニットの重心位置が変化するものであるが、このチャッカーの停止位置に拘わらず搬送ユニットを円滑に開閉操作できるものとなる。
【発明を実施するための最良の形態】
【００１７】
以下、本発明の実施形態を図面に基づいて説明する。
図１に示すように、感光材料としての銀塩印画紙Ｐ（以下、印画紙Ｐと称する）に対して露光を行う露光ブロックＥｘと、このように露光された印画紙Ｐの現像処理を行う現像ブロックＤｅと、現像処理後の印画紙Ｐを乾燥する乾燥ブロックＤｒとを筐体１０に収納すると共に、筐体１０の外部には、処理の後に筐体１０の上部から送り出される印画紙Ｐを搬送ベルト１１で受け止めてソータ（図示せず）に送り、このソータにおいてオーダ単位で仕分けて集積する写真プリント装置が構成されている。この写真プリント装置はデジタルミニラボと称せられるものであり、図面には示していないが、写真フィルムのコマ画像をフィルムスキャナによって光電変換することにより取り込んだ画像情報、あるいは、デジタルカメラで撮影した画像情報を該写真プリント装置に伝送することにより、その画像情報を露光ブロックＥｘにおいて印画紙Ｐに露光する処理を行うものである。
【００１８】
前記露光ブロックＥｘは、２つの印画紙マガジンＭ、Ｍの一方に収納したロール状の印画紙Ｐを供給ユニットＵ１でプリントサイズに切断して上方に搬送し、この供給ユニットＵ１からの印画紙Ｐを露光ユニットＵ２において鉛直姿勢となる搬送経路を下方から上方に搬送しながら画像情報の露光を行い、この露光ユニットＵ２から上方に送られる印画紙Ｐを前部ローラユニットＵ３において搬送方向を水平方向に変換した後、振分ユニットＵ４（搬送ユニットの一例）で水平方向に送り、この後、後部ローラユニットＵ５から前記現像ブロックＤｅに受け渡すよう構成されている。
【００１９】
〔供給ユニット〕前記供給ユニットＵ１は、図１に示すように、２つの印画紙マガジンＭ、Ｍの一方に収納したロール状の印画紙Ｐを圧着型のアドバンスローラ１６によって引き出し、カッター１７でプリントサイズに切断し、このように切断された印画紙Ｐの裏面側にドットインパクト型の印字ヘッド１８によって必要な情報をプリントし、この後、印画紙Ｐを挟持搬送するフィーダ１９によって前記露光ユニットＵ２に送り込むよう構成されている。図面には示していないが、前記フィーダ１９は印画紙Ｐを圧着する状態と、離間する状態とに切り換え自在なチャック部を備え、前記印字ヘッド１８で裏面側に情報がプリントされた印画紙Ｐをチャック部で挟持し、単列で略上方に搬送し、このように搬送した印画紙Ｐを露光ユニットＵ２に受け渡す際にはチャック部を開放し、この後、下方に移動して前述と同様に印字ヘッド１８で裏面側に情報がプリントされた印画紙Ｐをチャック部で挟持するよう往復作動する。
【００２０】
〔露光ユニット〕前記露光ユニットＵ２には、前記フィーダ１９からの印画紙Ｐを受け取るように圧着状態と離間状態とに切り換え自在なローラ対で成る受取ローラ２０を備えると共に、駆動ローラ２１と、この駆動ローラ２１に対して圧着する圧着状態及び離間する開放状態に切り換え自在な従動ローラ２２とで成る露光搬送ローラを、露光位置を挟む上下位置に配置し、この露光搬送ローラで上方（副走査方向）に搬送される印画紙Ｐに対して主走査方向（水平方向）に画像情報の露光を行うレーザ走査型の露光エンジン２３を備えている。
【００２１】
前記露光エンジン２３は、ケーシングの内部に収納したＲ（赤）、Ｇ（緑）、Ｂ（青）の三原色のレーザ光源からの光線を音響光学式の変調手段によって光量を調節しながら縦軸芯で回転するポリゴンミラーのミラー面で反射させることにより主走査方向に走査する状態で前記露光位置に送り出す構造のものが使用されている。
【００２２】
図面には示していないが、この露光ユニットＵ２には前記駆動ローラ２１を設定速度で回転駆動するステッピングモータを備え、従動ローラ２２を駆動ローラ２１の側に圧着させる圧着状態と、この従動ローラ２２を駆動ローラ２１から離間させる開放状態とに切り換える回転カム式の操作機構を備えている。そして、前記露光搬送ローラのうち、搬送方向で上流側（図面では下側）に配置されたものは、前記受取ローラ２０からの印画紙Ｐを受け取る際には、開放状態に設定して印画紙Ｐの先端を受け入れ、この受け入れの後に圧着状態に切り換え、また、露光搬送ローラのうち搬送方向で下流側（図面では上側）に配置されたものは、上流側の露光搬送ローラからの印画紙Ｐを受け取る際には、開放状態に設定して印画紙Ｐの先端を受け入れ、この受け入れの後に圧着状態に切り換え、更に、その印画紙Ｐに対する露光が完了した時点で開放状態に切り変わるように作動する。
【００２３】
〔前部ローラユニット〕前部ローラユニットＵ３は、図２に示すように、前記露光経路から送られる印画紙Ｐを湾曲搬送経路に送ることにより搬送方向を水平方向に変換するよう機能するものである。つまり、この前部ローラユニットＵ３は、湾曲搬送経路を挟んで下側に配置される固定ガイド３０と、前記湾曲搬送経路を挟んで上側において支軸３１Ａ周りでの揺動自在に配置された可動ガイド３１とを備えると共に、この湾曲搬送経路に沿って固定ガイド３０の側に配置された駆動ローラ３２と、この湾曲搬送経路に沿って可動ガイド３１の側に配置された従動ローラ３３とを備えている。図面には示していないが可動ガイド３１を開閉作動させる駆動機構を備え、この可動ガイド３１と従動ローラ３３とは連係して開閉作動するよう構成され、また、駆動ローラ３２を駆動回転する駆動系を備えている。
【００２４】
このように構成されているので、露光ユニットＵ２からの印画紙Ｐを受け入れる際には、可動ガイド３１と従動ローラ３３とを開放し、この開放状態で印画紙Ｐが導入された後に可動ガイド３１と従動ローラ３３とを閉じ姿勢に設定することにより、駆動ローラ３２と従動ローラ３３とで印画紙Ｐを圧着して印画紙Ｐに搬送力を作用させ、固定ガイド３０と可動ガイド３１との間の湾曲搬送経路に印画紙Ｐを案内するものとなっている。
【００２５】
〔振分ユニット〕感光材料搬送ユニットとしての前記振分ユニットＵ４は、図２及び図３に示すように２つのチャッカーＣＨ（移送手段の一例）の作動により印画紙Ｐを２つの振り分け経路Ｙ４、Ｙ４に振り分ける振り分け作動部Ｓと、この振り分け作動部Ｓからの印画紙Ｐが受け渡される中間ローラ部Ｔとで成り、これらは揺動フレーム３５に支持されている。また、振り分け作動部Ｓは、印画紙Ｐの搬送方向に案内方向を設定した搬送レール４０と、この搬送レール４０に対して往復移動自在に支持した搬送フレーム４１と、この搬送フレーム４１に対して印画紙Ｐの搬送方向と直交する方向に案内方向を設定して備えたシフトレール４２と、このシフトレール４２に対して、往復移動自在に支持したシフト部材４３と、このシフト部材４３において印画紙Ｐを挟持する状態と、印画紙Ｐの通過を許す離間状態とに切り換え自在に備えた前記チャッカーＣＨとを備えている。
【００２６】
前記搬送フレーム４１は、ステッピングモータ型の搬送モータ４５からの駆動力で作動する無端ベルト４６からの駆動力によって往復作動し、前記シフト部材４３はステッピングモータ型のシフトモータ４７からの駆動力で作動する無端ベルト４８からの駆動力で往復作動する。また、前記チャッカーＣＨは、前記シフト部材４３に対して位置固定状態で支持された駆動型の第１チャックローラ４９と、この第１チャックローラ４９に対して上方から圧着する状態（印画紙Ｐを圧着する状態）及び上方に離間する状態夫々に切り換え自在な第２チャックローラ５０とを備えると共に、前記シフト部材４３に対して第２チャックローラ５０を圧着状態と離間状態に切り換えるよう電磁ソレノイドや電動モータで成るチャック作動部（図示せず）及び第１チャックローラ４９を駆動回転するモータ５１を備えている。
【００２７】
この振分ユニットＵ４では、２つのチャッカーＣＨ、ＣＨのホームポジションが中間ローラ部Ｔの側（図２において右側・後述する揺動軸芯Ｘの側）の移動端に設定され、制御を正常に終了した場合には、２つのチャッカーＣＨ、ＣＨのホームポジションに位置することになる。
【００２８】
また、前記中間ローラ部Ｔは、図２及び図５に示すように、ステッピングモータ型の中間搬送モータ５４で駆動される駆動ローラ５５と、この駆動ローラ５５に対して圧着する４つの圧着ローラ５６と、印画紙Ｐを斜め下方に案内するガイド板５７とを備えている。前記駆動ローラ５５は前記揺動フレーム３５に一体的に形成された支持プレート３５Ａに支承され、この支持プレート３５Ａに対して前記中間搬送モータ５４が支持されている。前記支持プレート３５Ａの上端部同士を連結フレーム５８で連結し、この連結フレーム５８に一対の軸体５９を介して支持された一対の可動フレーム６０に対して前記圧着ローラ５６が支持されている。
【００２９】
図４〜図８に示すように、前記揺動フレーム３５は印画紙Ｐの搬送方向と直交する幅方向での両端部位置に備えた搬送ユニットの支持構造としてのヒンジＨ、Ｈを介して揺動自在に筐体１０のフレームＦに支持されている。
【００３０】
具体的に説明すると、ヒンジＨは前記フレームＦの側に固定される固定ブラケット６５と、揺動フレーム３５の側に固定される揺動ブラケット６６とを揺動軸６７周りで揺動自在に連結した構造を有している。この揺動軸６７の軸芯と前記揺動軸芯Ｘ（水平姿勢の軸芯）とが一致し、このヒンジＨには、固定ブラケット６５に軸部材６８を介して支持したバネ受け体６９と、揺動ブラケット６６に軸部材７０を介して備えたバネ受け体７１との間に伸縮部材７２を備え、この伸縮部材７２に外嵌する状態で付勢機構としての圧縮コイルバネ７３を備え、この圧縮コイルバネの７３の露出側にカバー７４を備えている。
【００３１】
更に、このヒンジＨでは前記揺動軸６７を揺動ブラケット６６の外方に突出させてオーバーハング部を形成し、このオーバーハング部に逆付勢機構としてトーションバネ７５を外嵌する状態で支持し、この揺動軸６７の軸端に抜け止め体７６を備え、このトーションバネ７５の一方の端部７５Ａを揺動ブラケット６６の側面の孔部に係入させ、このトーションバネ７５の他方の端部７５Ｂを固定ブラケット６５の側面の開口６５Ａ（融通手段の一例）に挿入している。また、この開口６５Ａの端部にはバネ受け片７７を固設している。図面では前記開口６５Ａが正６角形に形成されているが、この開口６５Ａを長孔状に形成しても良い。
【００３２】
このヒンジＨは、揺動フレーム３５が図６（ａ）に示す処理姿勢にある場合には、トーションバネ７５の他方の端部７５Ｂが前記開口６５Ａの内部で自由状態にあり（トーションバネ７５が付勢力を作用させない状態）、揺動フレーム３５を図６（ｂ）に示す開放姿勢に向けて操作した場合に、この揺動領域の中間においてトーションバネ７５の他方の端部７５Ｂが前記開口６５Ａの端部（バネ受け片７７を備えた側）に接当することによって、前記付勢機構としての圧縮コイルバネ７３の付勢力に抗する方向（揺動ブラケット６６を処理姿勢に向かわせる方向）に付勢力を作用させ、揺動フレーム３５を更に操作して図６（ｂ）に示す開放姿勢（揺動端部）に達した場合には、トーションバネ７５から揺動ブラケット６６に対して最も強い付勢力を作用させるように構成している。
【００３３】
前記一対のヒンジＨ、Ｈは前記後部ローラユニットＵ５を跨ぐ位置に配置され、夫々のヒンジＨ、Ｈ同士の中間の空間に印画紙Ｐを搬送できるようにしている。このように一対のヒンジＨ、Ｈを備えたことにより振分ユニットＵ４は図４に実線で示す処理姿勢と、図４に仮想線で示すように水平姿勢から７０度程度揺動した姿勢となる開放姿勢とに切り換え自在に構成されている。また、チャッカーＣＨはヒンジＨの揺動軸芯Ｘを基準にして遠近方向に作動する移送手段の一例であり、このチャッカーＣＨが揺動軸芯Ｘと最も離間した位置にある状態において（重心が揺動軸芯Ｘから最も離れた位置にある場合にも）、該振分ユニットＵ４を開放姿勢に設定した場合には、この開放姿勢を維持するに充分な付勢力を得るよう前記圧縮コイルバネ７３とトーションバネ７５との付勢力の関係を設定している。つまり、圧縮コイルバネ７３からの付勢力はトーションバネの７５の付勢力によって減じられるものであるが、このように減じられた状態の圧縮コイルバネ７３からの付勢力によっても振分ユニットＵ４を開放姿勢に維持できるように圧縮コイルバネ７３の付勢力を設定しているのである。
【００３４】
更に、振分ユニットＵ４が処理姿勢にある状態でヒンジＨに備えられる圧縮コイルバネ７３から揺動ブラケット６６の側に作用するトルクが最も小さくなり、この処理姿勢から振分ユニットＵ４を開放姿勢の側に操作した場合には、この操作に伴って圧縮コイルバネ７３から揺動ブラケット６６の側に作用するトルクが増大するよう、前記一対の軸部材６８、７０の位置関係を設定している。そして、振分ユニットＵ４を処理姿勢に設定した状態で、この姿勢を維持するよう揺動フレーム３５の揺動端側の前記筐体１０のフレームＦとの間に永久磁石７９Ａと鉄片７９Ｂとで成る固定手段７９を備えている。
【００３５】
つまり、振分ユニットＵ４を処理姿勢に設定した場合には、圧縮コイルバネ７３の付勢力は最大となるが、揺動軸６７の揺動軸芯Ｘの位置と、前記軸部材７０の軸芯の位置とを結ぶ仮想直線に対して前記軸部材６８が接近することを利用して圧縮コイルバネ７３から揺動ブラケット６６の側に作用するトルクを小さくしており（この仮想直線上に軸部材６８が位置する場合にはトルクは「０」になる）、これとは逆に、振分ユニットＵ４を開放側に操作した場合には、圧縮コイルバネ７３の付勢力が低下するものの、揺動軸６７の揺動軸芯Ｘの位置と、前記軸部材７０の軸芯の位置とを結ぶ仮想直線から前記軸部材６８が離間することを利用して圧縮コイルバネ７３から揺動ブラケット６６の側に作用するトルクを増大させているのである。
【００３６】
この構成より、振分ユニットＵ４が処理姿勢にある場合には、圧縮コイルバネ７３から揺動フレーム３５に作用するトルクが小さく、固定手段７９を構成する永久磁石７９Ａと鉄片７９Ｂとの吸着力によって振分ユニットＵ４が処理姿勢に維持される。そして、処理時において何らかの原因でチャッカーＣＨが揺動軸芯Ｘから最も離れた位置で停止した場合でも、振分ユニットＵ４を開放姿勢に切り換える場合には、振分ユニットＵ４の揺動端部を人為的に持ち上げる操作を行うだけで、この振分ユニットＵ４を開放方向に揺動できるものとなり、この揺動時には大きく揺動させるほど、圧縮コイルバネ７３から揺動フレーム３５に作用するトルクが増大して軽い操作で振分ユニットＵ４を揺動操作できると同時に、この揺動領域の中間でトーションバネ７５からの逆向きの付勢力が作用することにより、揺動フレーム３５が急激に作動する現象を抑制し、この揺動操作によって振分ユニットＵ４が開放姿勢に達した場合には、トーションバネ７５の付勢力で圧縮コイルバネ７３からの付勢力が減じられるものの、この圧縮コイルバネ７３からの付勢力で、この開放姿勢が維持されるものとなっている。
【００３７】
尚、この振分ユニットＵ４では、前部ローラユニットＵ３から送り出される印画紙Ｐのサイズが小さい場合には、その印画紙Ｐを一方のチャッカーＣＨで挟持して前記中間ローラ部Ｔに形成された２列の振り分け経路Ｙ４、Ｙ４のうちの一方に送り込み、次の印画紙Ｐを他方のチャッカーＣＨで挟持して２列の振り分け経路Ｙ４、Ｙ４のうちの他方に送り込むよう振り分けモードでの作動を行うと共に、前部ローラユニットＵ３から送り出される印画紙Ｐのサイズが大きい場合には、その印画紙Ｐの先端部を一対のチャッカーＣＨ、ＣＨで同時に挟持して中間ローラ部Ｔに送り込む単一搬送モードでの作動を行うよう構成されている。
【００３８】
〔後部ローラユニット〕後部ローラユニットＵ５は、前記中間ローラ部Ｔから送られる印画紙Ｐを斜め下方に搬送し、前記現像ブロックＤｅの現像処理槽１５に備えた導入ローラ２８に受け渡すよう搬送方向に沿って３つの搬送ローラを所定の間隔で順次配置して構成されたものである。
【００３９】
具体的には、図２及び図５に示すように、印画紙Ｐの搬送経路の上下位置にガイド板８０、８０を配置してあり、印画紙Ｐの搬送方向の上流位置と中間位置に駆動ローラ８１と従動ローラ８２で成る２組の搬送ローラを配置し、搬送方向の下流位置に駆動ローラ８３と従動ローラ８４とで成る搬送ローラを配置している。また、駆動ローラ８１、８１、８３のうち搬送方向で上流に位置するもの（駆動ローラ８１）には中間搬送モータ５４からの駆動力で駆動回転する前記駆動ローラ５５からの駆動力がギヤ式の伝動機構８７を介して直接的に伝えられ、他の駆動ローラ８１、８３には、ベルトとギヤとを組み合わせた伝動機構８８を介して動力が伝えられるように構成されている。
【００４０】
この後部ローラユニットＵ５では、中間搬送モータ５４からの駆動力がギヤ式の伝動機構８７を介して伝えられるものであり、前述したように振分ユニットＵ４を開放姿勢に操作した場合には、ギヤ式の伝動機構８７がギヤの咬合部において分離することにより開放姿勢への操作を許すものとなっている。
【００４１】
このように、本発明では、振分ユニットＵ４を開放操作する場合には、チャッカーＣＨが（ユニットの重心が）どのような位置であっても、この振分ユニットＵ４を開放姿勢に維持できるものであり、この開放操作時においては逆付勢機構としてのトーションバネ７５からの付勢力を揺動作動に抗する方向に作用させるので、圧縮コイルバネ７３の付勢力によってユニットが急激に開放方向に作動する不都合をなくして、軽快で円滑な作動を実現しているのである。特に、処理姿勢ではユニットを磁力によって処理姿勢に維持するので、ロック機構等を備えるものと比較して操作が楽になるものとなっている。
【００４２】
〔別実施の形態〕
本発明は、上記した実施の形態以外に以下のように構成しても良い。
【００４３】
（イ）揺動ブラケット６６の側に開口を形成し、この開口にトーションバネ７５の一方の端部７５Ａを挿入する、又は、固定ブラケット６５と揺動ブラケット６６との双方に開口を形成し、夫々の開口に対してトーションバネ７５の夫々の端部７５Ａ、７５Ｂを挿入する。
【００４４】
（ロ）搬送ユニットとして、印画紙等の感光材料に対して露光を行うよう揺動軸芯Ｘに対して遠近する方向に移動自在な蛍光型や液晶シャッター型等のライン露光型の露光ヘッドを備えた搬送ユニットに本発明の支持構造を適用する。
【図面の簡単な説明】
【００４５】
【図１】写真プリント装置の縦断正面図
【図２】振分ユニットの部位の縦断正面図
【図３】振分ユニットの平面図
【図４】振分ユニットの開閉形態を示す正面図
【図５】振分ユニットから後部ローラユニットへの搬送系を示す図
【図６】処理姿勢と開放姿勢とにおけるヒンジの正面図
【図７】ヒンジの縦断正面図
【図８】ヒンジの縦断側面図
【符号の説明】
【００４６】
６５          固定ブラケット
６５Ａ        融通手段・開口
６６          揺動ブラケット
６７          揺動軸
７３          付勢機構
７５          逆付勢機構・トーションバネ
Ｈ            ヒンジ
Ｐ            感光材料
Ｘ            軸芯
ＣＨ          移送手段・チャッカー
Ｕ４          搬送ユニット
【図１】
2005249927.tif 000003
【図２】
2005249927.tif 000004
【図３】
2005249927.tif 000005
【図４】
2005249927.tif 000006
【図５】
2005249927.tif 000007
【図６】
2005249927.tif 000008
【図７】
2005249927.tif 000009
【図８】
2005249927.tif 000010